(57)【要約】【課題】  熱風の流量及び熱損失を最小化して乾燥性能を向上するとともに、ガスケットの損傷及び寿命低下を防止できる乾燥機兼用洗濯機を提供すること。【解決手段】  キャビネット（５０）に支持されたタブ（６０）と、タブの内側に回転自在に配置されて通孔（７２）が形成されたドラム（７０）と、タブの一側に連結された凝縮ダクト（８０）と、凝縮ダクトに連結されてヒーター（８５）及び送風ファン（８７）が内蔵されたヒーターダクト９０、ヒーターダクトを通過した空気がタブの内部に案内されるようにヒーターダクトおよびタブにそれぞれ連通された連結ダクト（１００）を具備する。【選択図】      図２
2005177505.tif 000002
【特許請求の範囲】
【請求項１】
キャビネットに支持されたタブと;
前記タブの内側に回転自在に配置されて通孔が形成されたドラムと;
前記タブの一側に連結された凝縮ダクトと;
前記凝縮ダクトに連結されてヒーター及び送風ファンが内蔵されたヒーターダクトと；
前記ヒーターダクトを通過した空気が前記タブの内部に案内されるように前記ヒーターダクトおよびタブにそれぞれ連通された連結ダクトと；
を含んで構成されたことを特徴とする乾燥機兼用洗濯機。
【請求項２】
前記連結ダクトとタブとの間に設置され、前記連結ダクトとタブとの間をシールするタブ用ガスケットをさらに含んで構成されたことを特徴とする請求項１記載の乾燥機兼用洗濯機。
【請求項３】
前記ヒーターダクトと連結ダクトとの間に設置され、前記ヒーターダクトと連結ダクトとの間をシールするヒーターダクト用ガスケットをさらに含んで構成されたことを特徴とする請求項１記載の乾燥機兼用洗濯機。
【請求項４】
前記連結ダクトとタブとの間に設置され、前記連結ダクトとタブとの間をシールするタブ用ガスケットと;
前記ヒーターダクトと連結ダクトとの間に設置され、前記ヒーターダクトと連結ダクトとの間をシールするヒーターダクト用ガスケットと；を含んで構成されたことを特徴とする請求項１記載の乾燥機兼用洗濯機。
【請求項５】
前記連結ダクトは、前記タブの前面上部に締結ボルトにより締結されることを特徴とする請求項１記載の乾燥機兼用洗濯機。
【請求項６】
前記タブの前面上部には、ボスが形成され、
前記連結ダクトは、前記ボスに締結ボルトにより締結されることを特徴とする請求項５記載の乾燥機兼用洗濯機。
【請求項７】
前記タブには、前記凝縮ダクトに連通される第１連通穴が一側に形成され、前記連結ダクトに連通される第２連通穴が他側に形成されたことを特徴とする請求項１記載の乾燥機兼用洗濯機。
【請求項８】
前記連結ダクトには、前記第２連通穴に挿入される突起部が形成されたことを特徴とする請求項７記載の乾燥機兼用洗濯機。
【請求項９】
前記連結ダクトは、前記ヒーターダクトに締結ボルトにより締結されることを特徴とする請求項１記載の乾燥機兼用洗濯機。
【請求項１０】
前記ドラムには、前記連結ダクトを通過した熱風が前記ドラムの内部に直進されるように複数個の熱風通孔が形成されたことを特徴とする請求項１乃至９のいずれか一つに記載の乾燥機兼用洗濯機。
【発明の詳細な説明】
【技術分野】
【０００１】
本発明は、乾燥機兼用洗濯機に関するもので、詳しくは、ヒーターダクトを通過しながら加熱された空気をガスケットを通して供給することなく、タブの内部に直接供給する乾燥機兼用洗濯機に関するものである。
【背景技術】
【０００２】
一般に、洗濯機は、洗剤と水(以下、‘洗濯水’と称する)との作用により衣類や寝具(以下、‘布’と称する)などの汚染物質を除去する機器であって、洗濯機、乾燥機および乾燥機兼用洗濯機に区分される。
図１は、従来の乾燥機兼用洗濯機の内部を示した一部切欠側断面図である。
従来の乾燥機兼用洗濯機は、図１に示すように、キャビネット２と、このキャビネット２の内部に装着されて洗濯水を貯めるタブ１０と、このタブ１０の内部に回転自在に位置されて布ｍを収容するドラム２０と、このドラム２０を支持するとともに回転駆動するモータ３０と、前記ドラム２０内の空気を吸入、凝縮および加熱した後、再びドラム２０内に循環して布ｍを乾燥する乾燥装置４０と、を含んで構成されている。
【０００３】
前記キャビネット２には、布ｍを出し入れする出入穴３が一面に形成され、この出入穴３を開閉するためのドア４が装着される。
前記ドア４は、前記キャビネット２に回動自在に連結されたドアフレーム４ａと、このドアフレーム４ａに装着されて後方に向かって凸状に形成されたドアガラス４ｂと、から構成される。
【０００４】
前記タブ１０は、前記キャビネット２の上部に連結されたスプリング５に懸架され、前記キャビネット２の下部に装着されたダンパー６に載置されることで、緩衝自在に支持される。
前記タブ１０には、外部から給水される洗濯水を前記タブ１０内に供給する給水装置１２が連結され、前記タブ１０の内部の洗濯水を外部に排水する排水装置１４が連結される。
前記タブ１０には、前記ドア４の閉鎖時、前記ドア４に密着されて布ｍ、洗濯水および空気の流出を防止するガスケット１６が装着される。
【０００５】
前記ガスケット１６には、前記乾燥装置４０に連結される筒状の乾燥装置連結口１８が一側に突出形成される。
前記乾燥装置連結口１８は、前記ガスケット１６の外周面に半径方向に突出形成される。
前記ドラム２０には、布ｍ、洗濯水および空気が出入される出入穴２１が形成され、洗濯水および空気が出入される通孔２２が形成される。
【０００６】
前記モータ３０は、回転軸が前記タブ１０を貫通することでベアリングにより支持され、その先端が前記ドラム２０に連結される。
前記乾燥装置４０は、タブ１０の一側に連結された凝縮ダクト４２と、冷却水を制御する冷却水バルブ４３と、この冷却水バルブ４３に連結されて前記凝縮ダクト４２に冷却水を流す冷却水噴射口４４と、前記凝縮ダクト４２に連通され、循環ファン４５および乾燥ヒーター４６が内蔵されて高温低湿の空気を前記ドラム２０の内部に循環する乾燥ダクト４８と、から構成される。
前記ヒータダクト４８は、出口端が前記ガスケット１６の乾燥装置連結口１８に内挿または外挿されて固定される。
【０００７】
以下、このように構成された従来の乾燥機兼用洗濯機の動作を説明する。
まず、前記ドラム２０の内部に布ｍを投入した後、ドア４を閉鎖して洗濯機を作動すると、前記洗濯機は、給水装置１２を通して洗濯水を給水する。
次いで、この給水された洗濯水は、前記タブ１０内に供給されて貯められ、前記ドラム２０の出入口２１または通孔２２を通してドラム２０の内部に流入されることで、布を浸すようになる。
【０００８】
前記給水を行った後、前記モータ３０が駆動されると、前記ドラム２０が回転し、前記ドラム２０内の布ｍが前記ドラム２０の内部で流動されることで、布ｍと洗濯水との作用により汚染物質が落ちるようになる。
前記洗濯機は、前記洗濯行程の終了後、排水装置１４を通してタブ１０内の汚染された洗濯水を洗濯機の外部に排水する。
【０００９】
一方、前記洗濯機は、布ｍに残存する泡をすすぐためのすすぎ行程を複数回行うが、洗濯行程と同様に、給水装置１２およびモータ３０を制御して布に残存する泡をすすぎ、泡を含む汚染水を排水装置１４を通して前記洗濯機の外部に排水する。
前記洗濯機は、前記すすぎ行程を複数回行った後、布ｍの水気を遠心脱水する脱水行程を行う。
【００１０】
次いで、前記洗濯機は、前記脱水行程後、前記乾燥装置４０を作動して布ｍを乾燥する。
前記洗濯機は、乾燥行程時、前記モータ３０を駆動して前記ドラム２０を回転し、前記冷却水バルブ４３、循環ファン４５およびヒーター４６をオンにする。
前記凝縮ダクト４２の内部には、前記冷却水バルブ４３のオンにより冷却水が流れ、前記ドラム２０内の低温多湿な空気は、前記循環ファン４５の回転により前記タブ１０を通して前記凝縮ダクト４２に吸入された後、前記凝縮ダクト４２を通過しながら冷却水により凝縮される。
【００１１】
前記凝縮ダクト４２を通過した空気は、前記ヒータダクト４８を通過しながら前記ヒーター４６により加熱されて熱風に変わるが、この熱風は、前記ガスケット１６の乾燥装置連結口１８を通過して前記ガスケット１６の内側に吐出され、前記ドア４のドアガラス４ｂにぶつかった後、前記ドラム２０に向かって送風されて布を乾燥することで、低温多湿の空気に変わる。
【００１２】
しかしながら、従来の洗濯機は、乾燥装置４０がガスケット１６に連結されるので、このガスケット１６の構造が複雑になり、熱風がガスケット１６を貫通してドアガラス４ｂにぶつかった後、布ｍに向かって送風されるので、熱風流入流路が複雑になり、流量及び熱損失が大きいという問題点があった。
【００１３】
また、前記タブ１０またはドラム２０の振動により前記ガスケット１６が変形され、熱風流入流路が変形または閉鎖されると、前記ヒーターダクト４８を通過した熱風がドラム２０の内部に流入されにくくなり、前記ガスケット１６が熱風により損傷されるという問題点があった。
【発明の開示】
【発明が解決しようとする課題】
【００１４】
本発明は、従来の問題点を解決するためになされたもので、熱風の流量及び熱損失を最小化して乾燥性能を向上できる乾燥機兼用洗濯機を提供することを目的とする。
また、ガスケットの損傷及び寿命低下を防止できる乾燥機兼用洗濯機を提供することを目的とする。
【課題を解決するための手段】
【００１５】
前記目的を達成するため、本発明の乾燥機兼用洗濯機は、キャビネットに支持されたタブと;前記タブの内側に回転自在に配置されて通孔が形成されたドラムと;前記タブの一側に連結された凝縮ダクトと;前記凝縮ダクトに連結されてヒーター及び送風ファンが内蔵されたヒーターダクトと;前記ヒーターダクトを通過した空気が前記タブの内部に案内されるように前記ヒーターダクトおよびタブにそれぞれ連通された連結ダクトと；を含んで構成されたことを特徴とする。
【００１６】
また、本発明による乾燥機兼用洗濯機は、前記ヒーターダクトと連結ダクトとの間に設置され、前記ヒーターダクトと連結ダクトとの間をシールするヒーターダクト用ガスケットをさらに含んで構成されたことを特徴とする。
【００１７】
また、本発明による乾燥機兼用洗濯機は、前記連結ダクトとタブとの間に設置され、前記連結ダクトとタブとの間をシールするタブ用ガスケットをさらに含んで構成されたことを特徴とする。
【００１８】
前記連結ダクトは、前記タブの前面上部に締結ボルトにより締結されることを特徴とする。
【００１９】
前記タブの前面上部には、ボスが形成され、前記連結ダクトは、前記ボスに締結ボルトにより締結されることを特徴とする。
【００２０】
前記タブには、前記凝縮ダクトに連通される第１連通穴が一側に形成され、前記連結ダクトに連通される第２連通穴が他側に形成されたことを特徴とする。
【００２１】
前記連結ダクトには、前記第２連通穴に挿入される突起部が形成されたことを特徴とする。
【００２２】
前記連結ダクトは、前記ヒーターダクトに締結ボルトにより締結されることを特徴とする。
【００２３】
前記ドラムには、前記連結ダクトを通過した熱風が前記ドラムの内部に直進されるように複数個の熱風通孔が形成されたことを特徴とする。
【発明の効果】
【００２４】
本発明の乾燥機兼用洗濯機は、凝縮ダクトにヒーター及び送風ファンが内蔵されたヒーターダクトが連通され、ヒーターダクトおよびタブにヒーターダクトを通過した空気をタブの内部に案内する連結ダクトが連通されることで、熱風の流量及び熱損失を最小化して乾燥性能を向上できるという効果がある。
【００２５】
また、本発明の乾燥機兼用洗濯機は、ヒーターダクトを通過した空気がガスケットを通過せずに連結ダクトを通過するので、ヒーターダクトを通過した空気がガスケットを通過するときに発生するガスケットの損傷及び寿命低下を防止できるという効果がある。
【００２６】
また、本発明の乾燥機兼用洗濯機は、ヒーターダクトと連結ダクトとの間にヒーターダクト用ガスケットが設置され、連結ダクトとタブとの間にタブ用ガスケットが設置されることで、熱風の流出を最小化できるという効果がある。
【００２７】
また、本発明の乾燥機兼用洗濯機は、連結ダクトが前記タブの前面上部に締結ボルトにより締結されるとともに、ヒーターダクトの下端側に締結ボルトにより締結されるので、連結ダクトの連結が容易であるという効果がある。
【００２８】
また、本発明の乾燥機兼用洗濯機は、前記連結ダクトを通過した熱風が前記ドラムの内部に直進されるようにドラムに複数個の熱風通孔を形成することで、空気の流動が円滑になり、乾燥性能を向上できるという効果がある。
【発明を実施するための最良の形態】
【００２９】
以下、本発明による乾燥機兼用洗濯機の実施形態を、図面に基づいて説明する。
図２は、本発明による乾燥機兼用洗濯機の第１実施形態を示した一部切欠断面図であり、図３は、本発明による乾燥機兼用洗濯機の第１実施形態を示した一部分解斜視図である。
【００３０】
本実施形態による乾燥機兼用洗濯機は、図２及び図３に示すように、乾燥機兼用洗濯機の外観をなすキャビネット５０と、このキャビネット５０の内部に緩衝自在に支持されたタブ６０と、このタブ６０の内側に回転自在に配置されて布を収容するドラム７０と、前記タブ６０の一側に連通された凝縮ダクト８０と、この凝縮ダクト８０に連通され、ヒーター85及び送風ファン８７が内蔵されて前記ヒーター85により加熱された空気が前記タブ６０の内部に直接送風されるように、前記タブ６０の他側に連通された乾燥ダクト８６と、を含んで構成される。
【００３１】
前記キャビネット５０は、底板５２と、この底板５２の上側に設置されたキャビネット本体５４と、このキャビネット本体５４の前面に設置されたキャビネットカバー５６と、前記キャビネット本体５４の上面に設置されたトップカバー５８と、を含んで構成される。
【００３２】
前記キャビネットカバー５６には、布を出し入れする布出入口５６ａが形成されるとともに、前記布出入口５６ａを開閉するドア５６ｂがヒンジにより回動自在に連結される。
前記キャビネットカバー５６の上側または前記トップカバー５８の上面には、前記乾燥機兼用洗濯機を操作するためのコントロールパネル５９が設置される。
【００３３】
前記タブ６０は、水平または所定角度傾斜して配置された円筒状であり、前記布出入口５６ａの後方には開口６１ａが形成され、前記キャビネット本体５４にスプリング６１ｂで連結され、前記底板５２にダンパー６１ｃで連結される。
前記タブ６０には、その内側に洗濯水を供給する給水装置６２が連結され、汚染された洗濯水または前記布ｍから脱水された水などを洗濯機の外部に排水する排水装置６３が連結される。
【００３４】
前記給水装置６２は、外部ホース６２ａに連結されて前記外部ホース６２から給水される洗濯水を制御する給水バルブ６２ｂと、この給水バルブ６２ｂを通過した洗濯水を案内する給水ホース６２ｃと、この給水ホース６２ｃに案内された洗濯水が通過する洗剤桶６２dと、この洗剤桶６２dを通過した洗濯水を前記タブ６０に案内する給水蛇腹パイプ６２eと、を含む。
【００３５】
前記排水装置６３は、前記タブ６０に連結されて前記タブ６０内の洗濯水または水を案内する排水蛇腹パイプ６３ａと、この排水蛇腹パイプ６３ａに案内された洗濯水または水をポンピングする排水ポンプ６３ｂと、この排水ポンプ６３ｂでポンピングされた洗濯水または水を前記乾燥機兼用洗濯機の外部に案内する排水ホース６３ｃと、を含む。
【００３６】
一方、前記タブ６０には、前記タブ６０内の空気が前記凝縮ダクト８０に流出されるように前記凝縮ダクト８０に連通される第１連通穴６４ａが形成され、前記乾燥ダクト８６内の空気が前記タブ６０に直接流出されるように前記乾燥ダクト８６に連通される第２連通穴６４ｂが形成される。
【００３７】
前記第１連通穴６４ａは、前記タブ６０の背面部に形成される。
前記第２連通穴６４ｂは、前記タブ６０の前面部に形成される。
前記第２連通穴６４ｂは、前記タブ６０の前面上部に形成される。
【００３８】
前記タブ６０には、前記ドラム７０を支持するとともに回転するドラム駆動手段が装着される。
前記ドラム駆動手段は、前記タブの背面に装着されて前記ドラムを直接回転するモータにより構成することもでき、前記タブの背面を貫通して先端が前記ドラム側に連結され、後端が前記タブ６０の後方に突出されたドライブシャフト６５と、前記タブ６０に装着されたモータ６６と、このモータ６６の回転軸に設置された駆動プーリ６７と、前記ドライブシャフト６５の後端に設置された従動プーリ６８と、前記駆動プーリ６７および従動プーリ６８に巻かれたベルト６９と、から構成することもできるが、以下、ドライブシャフト６５、モータ６６、駆動プーリ６７、従動プーリ６８およびベルト６９により構成されたものに限定して説明する。
【００３９】
前記ドラム７０は、前記タブ６０の内部に水平または所定角度傾斜して位置された円筒状であり、その前面中央には、布ｍ、洗濯水が出入される開口７１が形成され、周り部および背面部のうち少なくとも一側には、洗濯水または空気が流出入される通孔７２が形成され、内周面には、布ｍを持ち上げてから落下するリフター７３が装着される。
【００４０】
以下、前記通孔７２は、前記ドラム７０の周り部だけでなく、背面部にも形成されるものに限定して説明する。
一方、前記ドラム７０には、前記乾燥ダクト８６を通して前記タブ６０内に直接送風された熱風がドラム７０の内部に直進されるように、複数個の熱風通孔７４が形成される。
【００４１】
前記複数個の熱風通孔７４は、前記ドラム７０の前面部に形成される。
前記凝縮ダクト８０は、下端が前記タブ６０の第１連通穴６４ａに連通され、前記タブ６０の横または後方に上下に配置されるか、所定角度傾斜して配置されることで、上端が前記乾燥ダクト８６の後端に連通される。
【００４２】
前記凝縮ダクト８０には、内部に冷却水を供給する冷却水供給手段が備わる。
前記冷却水供給手段は、前記凝縮ダクト８０の内部に冷却水を案内するように前記凝縮ダクト８０に形成された冷却水噴射口８１と、外部ホース８２に連結され、前記外部ホース８２を通して供給される冷却水Ｂを制御する冷却水バルブ８３と、この冷却水バルブ８３に連結され、前記冷却水バルブ８３を通過した冷却水を前記冷却水噴射口８１の内部に案内する冷却水ホース８４と、を含んで構成される。
【００４３】
前記乾燥ダクト８６は、一端が前記凝縮ダクト８０に連通されて前記ヒーター85及び送風ファン８７が内蔵されたヒーターダクト９０と、このヒーターダクト９０に一端が連通され、前記第２連通穴６４ｂに他端が連通された連結ダクト１００と、を含んで構成される。
【００４４】
前記ヒーターダクト９０は、前記タブ６０の上側に前後に長く配置され、後端が前記凝縮ダクト８０に連通配置され、内部に前記ヒーター85及び送風ファン８７が配置され、先端側が前記タブ６０の前面部前方に“Ｌ”字状に折り曲げられる。
前記ヒーターダクト９０には、前記送風ファン８７が軸結合されるファンモータ８８が設置される。
【００４５】
前記ファンモータ８８は、回転力を可変するブラシレス直流モータ(BLDC  motor：brushless  direct  current  motor)により構成される。
前記連結ダクト１００は、エルボー管状であり、上端が前記ヒーターダクト９０の内部に連通され、後端が前記タブ６０の第２連通穴６４ｂに連通される。
前記連結ダクト１００には、前記連結ダクト１００を前記タブ６０に連結するとき、前記第２連通穴６４ｂに挿入される突起部１１１が形成される。
【００４６】
前記乾燥機兼用洗濯機は、前記連結ダクト１００とタブ６０との間に設置され、前記連結ダクト１００とタブ６０との間をシールするタブ用ガスケット１１０をさらに含んで構成される。
前記乾燥機兼用洗濯機は、前記ヒーターダクト９０と連結ダクト１００との間に設置され、前記ヒーターダクト９０と連結ダクト１００との間をシールするヒーターダクト用ガスケット１２０をさらに含んで構成される。
【００４７】
図中、符号９５は、前記ヒーターダクト９０の熱が前記タブ６０側に伝達されることを最小化するように、前記ヒーターダクト９０が締結ボルトにより装着されて前記タブ６０の上側に設置された固定ブラケットである。
図中、符号１３０は、前記タブ６０の開口６１ａと前記キャビネットカバー５６の布出入穴５６ａとの間に配置され、布ｍ、洗濯水、空気が前記タブ６０とキャビネットカバー５６との間に流出されることを防止するガスケットである。
図中、符号１３２，１３４は、前記タブ６０の前面両側に装着され、前記連結ダクト１００が前記タブ６０に連結されるように前記連結ダクト１００の幅よりも大きく離隔配置された左右のバランスウエートである。
【００４８】
図４は、図３の連結ダクトがタブ及びヒーターダクトに装着される前の状態を示した斜視図である。
図４に示すように、前記連結ダクト１００は、前記タブ６０の前面上部に締結ボルト１０１，１０２により締結される。
前記タブ６０の開口の上側には、締結孔６１d，６１eが形成された左右の締結ボス６１ｆ，６１ｇが離隔されて前方に突出され、前記連結ダクト１００の両側面下部には、前記左右の締結ボス６１ｆ，６１ｇの締結孔６１d，６１eと一致する締結孔１０３ａ，１０４ａが形成された左右の下部締結片１０３，１０４が突出される。
【００４９】
前記連結ダクト１００を前記タブ６０に連結するときは、前記連結ダクト１００の突起部１１１の外側に前記タブ用ガスケット１１０を嵌め合わせ、前記連結ダクト１１０の突起部１１１を前記タブ６０の第２連通穴６４ｂに挿入すると、前記連結ダクト１００は、前記タブ用ガスケット１１０を間に置いて前記タブ６０と密着される。
このとき、前記連結ダクト１００は、前記突起部１１１が前記第２連通穴６４ｂに前後、左右方向に係止されてその移動が制限され、その組立位置が決定される。
【００５０】
すなわち、前記連結ダクト１００の左側下部締結片１０３の締結孔１０３ａは、前記左側締結ボス６１ｆの締結孔６１dと一致し、前記連結ダクト１００の右側下部締結片１０４の締結孔１０４ａと前記右側締結ボス６１ｇの締結孔６１eとが一致する。
その後、第１締結ボルト１０１を前記左側下部締結片１０３の締結孔１０３ａおよび左側締結ボス６１ｆの締結孔６１dに締結し、第２締結ボルト１０２を前記右側下部締結片１０４の締結孔１０４ａおよび右側締結ボス６１ｇの締結孔６１eに締結すると、前記連結ダクト１００は、簡便かつ迅速にタブ６０に連結される。
一方、前記連結ダクト１００は、前記ヒーターダクト９０に締結ボルト１０５，１０６により締結される。
【００５１】
前記ヒーターダクト９０の先端両側面には、締結孔９１ａ，９２ａが形成された左右の下部締結片９１，９２が突出され、前記連結ダクト１００の上端の両側面上部には、前記ヒーターダクト９０の左右の下部締結片９１，９２の締結孔９１ａ，９２ａと一致する締結孔１０７ａ，１０８ａが形成された左右の上部締結片１０７，１０８が突出される。
【００５２】
前記連結ダクト１００を前記ヒーターダクト９０に連結するときは、前記連結ダクト１００の上端と前記ヒーターダクト９０の出口部との間に前記ヒーターダクト用ガスケット１２０をおいて、前記連結ダクト１００の左側上部締結片１０７の締結孔１０７ａと前記ヒーターダクト９０の左側下部締結片９１の締結孔９１ａとを一致した状態で、第３締結ボルト１０５を前記左側下部締結片９１の締結孔９１ａおよび左側上部締結片１０７の締結孔１０７ａに締結し、前記連結ダクト１００の右側上部締結片１０８の締結孔１０８ａと前記ヒーターダクト９０の右側下部締結片９２の締結孔９２ａとを一致した状態で、第４締結ボルト１０６を前記右側下部締結片９２の締結孔９２ａおよび右側上部締結片１０８の締結孔１０８ａに締結する。
【００５３】
以下、このように構成された本発明の乾燥機兼用洗濯機の動作を説明する。
まず、洗濯行程時、前記乾燥機兼用洗濯機は、前記給水装置６２により洗濯水を前記タブ６０に給水し、前記タブ６０に給水された洗濯水は、前記ドラム７０の開口７１または通孔７２を通して前記ドラム７０の内部に流入されることで、布を浸すようになる。
前記のように洗濯水が給水された状態で前記モータ６６が駆動されると、前記ドラム７０が回転し、前記ドラム７０の内部の布が前記リフター７３により流動されることで、布の汚染物質が落ちるようになる。
【００５４】
前記乾燥機兼用洗濯機は、前記洗濯行程の終了後、前記排水装置６３によりタブ６０内の汚染された洗濯水を外部に排水する。
また、すすぎ行程時、前記乾燥機兼用洗濯機は、前記給水装置６２が新しい洗濯水を前記タブ６０に給水し、前記タブ６０に給水された新しい洗濯水は、前記ドラム７０の開口７１または通孔７２を通して前記ドラム７０の内部に流入されることで、布を浸すようになる。
【００５５】
前記のように新しい洗濯水が給水された状態で前記モータ６６が駆動されると、前記ドラム７０が回転し、前記ドラム７０の内部の布が前記リフター７３により流動されることで、布に残存する泡がすすがれる。
前記乾燥機兼用洗濯機は、前記すすぎ行程の終了後、前記排水装置６３によりタブ６０内の汚染された洗濯水を外部に排水する。
【００５６】
また、脱水行程時、前記乾燥機兼用洗濯機は、前記モータ６６の高速駆動により前記ドラム７０が高速回転され、前記ドラム７０の内部の布は、ドラム７０の内周面に密着されて遠心脱水され、布から遠心脱水された水は、前記排水装置６３により洗濯機の外部に排水される。
一方、乾燥行程時、前記乾燥機兼用洗濯機は、前記モータ６６を駆動して前記ドラム７０を回転し、前記ドラム７０内の布ｍは、前記リフター７３により前記ドラム７０の内部で流動される。
【００５７】
また、前記乾燥機兼用洗濯機は、前記冷却水バルブ８３およびヒーター85をオンにするとともに、前記ファンモータ８８を駆動して前記送風ファン８７を回転する。
前記凝縮ダクト８０の内部には、前記冷却水バルブ８３のオンにより冷却水Ｂが流れ、前記ドラム７０内の空気Ａは、前記送風ファン８７の回転により流動され、前記布ｍとの接触により低温多湿に変わる。
【００５８】
前記ドラム７０内の低温多湿な空気Ａは、前記通孔７２を通過して前記ドラム７０の外側に移動され、前記タブ６０の第１連通穴６４ａを通して前記凝縮ダクト８０の内部に移動される。
前記凝縮ダクト８０に移動された低温多湿な空気Ａは、前記凝縮ダクト８０に流れた冷却水Ｂにより凝縮されて低温低湿に変わり、前記ヒーターダクト９０の内部に移動される。
【００５９】
前記ヒーターダクト９０の内部に移動された空気Ａは、前記ヒーター85により加熱されて高温低湿の熱風に変わり、前記連結ダクト１００の内部に移動される。
前記連結ダクト１００に移動された熱風Ａは、前記タブ６０の第２連通穴６４ｂを通過して前記タブ６０の内側に直接移動され、前記ドラム７０の熱風通孔７４または前記ドラム７０の開口７１を通して前記ドラム７０の内側に移動され、前記布ｍとの接触により布ｍの湿気を奪うようになる。
その後、前記ドラム７０内の空気Ａは、前記のような循環/凝縮/加熱を反復しながら布ｍを乾燥する。
【図面の簡単な説明】
【００６０】
【図１】従来の乾燥機兼用洗濯機を示した側断面図である。
【図２】本発明による乾燥機兼用洗濯機の第１実施形態を示した側断面図である。
【図３】本発明による乾燥機兼用洗濯機の第１実施形態を示した一部切欠斜視図である。
【図４】図３の連結ダクトがタブ及びヒーターダクトに装着される前の状態を示した斜視図である。
【符号の説明】
【００６１】
５０    キャビネット
６０    タブ
６１ｆ    左側締結ボス
６１ｇ    右側締結ボス
６１ａ    開口
６２    給水装置
６３    排水装置
６４ａ    第１連通穴
６４ｂ    第２連通穴
７０    ドラム
７１    開口
７２    通孔
７３    リフター
７４    通孔
８０    凝縮ダクト
８２    冷却水バルブ
８４    冷却水ホース
８５    ヒーター
８７    送風ファン
８８    ファンモータ
９０    ヒーターダクト
９１    左側下部締結片
９２    右側下部締結片
９４    ダクト本体
９６    上部カバー
１００    連結ダクト
１１１    突起部
１０１，１０２    締結ボルト
１０３    左側下部締結片
１０４    右側下部締結片
１０５，１０６    締結ボルト
１０７    左側上部締結片
１０８    右側上部締結片
１１０    タブ用ガスケット
１２０    ヒーターダクト用ガスケット
１３０    ガスケット
１３２    左側バランスウエート
１３４    右側バランスウエート
【図１】
2005177505.tif 000003
【図２】
2005177505.tif 000004
【図３】
2005177505.tif 000005
【図４】
2005177505.tif 000006